(57)【要約】【課題】  スプロケットと支持体との接触部の面積をより広く確保し、両者の摩耗を抑制する。【解決手段】  車軸を中心に回転するスプロケット支持体に取付けられるようにされたスプロケットを提供する。このスプロケットは、側部表面とスプロケット取付開口部を構成する内周面とを有するスプロケット本体を含み、その内周面の少なくとも一部が、スプロケット支持体と接触する。スプロケット本体の側部表面から横方向に少なくとも１つの横方向突起が、スプロケット支持体に接触するようにされた内周面の少なくとも一部に近接するまで延出している。【選択図】  図５
2004224334.tif 000002
【特許請求の範囲】
【請求項１】
車軸を中心に回転するスプロケット支持体に支持される自転車用スプロケットであって、
側部表面とスプロケット取付開口部を構成する内周面とを有し、前記内周面の少なくとも一部が前記スプロケット支持体に接触するスプロケット本体と、
前記スプロケット本体の前記側部表面から、前記スプロケット支持体に接触する前記内周面の少なくとも一部に近接するまで横方向に延出している、少なくとも１つの横方向突起と、
を含む自転車用スプロケット。
【請求項２】
前記少なくとも１つの横方向突起が、前記スプロケット本体の円周方向において部分的に延出している、請求項１に記載の自転車用スプロケット。
【請求項３】
前記スプロケット本体の前記内周面が、複数の径方向内向きスプラインおよび複数の径方向外向きスプラインを構成している、請求項２に記載の自転車用スプロケット。
【請求項４】
前記少なくとも１つの横方向突起が、径方向内側表面および径方向外側表面を有し、前記スプロケットの中心から前記径方向内側表面までの距離が、前記スプロケットの中心から前記径方向内向きスプラインの少なくとも１つの径方向内側表面までの距離と実質的に等しい、請求項３に記載の自転車用スプロケット。
【請求項５】
前記スプロケットの中心から前記少なくとも１つの横方向突起の前記径方向外側表面までの距離が、前記スプロケットの中心から前記径方向外向きスプラインの少なくとも１つの径方向外側表面までの距離より長い、請求項４に記載の自転車用スプロケット。
【請求項６】
前記少なくとも１つの横方向突起の周方向幅が、前記径方向内向きスプラインの少なくとも１つの周方向幅と実質的に等しい、請求項４に記載の自転車用スプロケット。
【請求項７】
前記スプロケット本体の前記側部表面に直交する方向視で、前記少なくとも１つの横方向突起が、前記径方向内向きスプラインの少なくとも１つと少なくとも部分的に周方向に重なり合っている、請求項４に記載の自転車用スプロケット。
【請求項８】
前記スプロケット本体の前記側部表面に直交する方向視で、前記少なくとも１つの横方向突起が、前記径方向内向きスプラインの少なくとも１つと完全に周方向に整合している、請求項７に記載の自転車用スプロケット。
【請求項９】
前記スプロケットの中心から前記少なくとも１つの横方向突起の前記径方向外側表面までの距離が、前記スプロケットの中心から前記径方向外向きスプラインの少なくとも１つの径方向外側表面までの距離より長い、請求項８に記載の自転車用スプロケット。
【請求項１０】
前記内周面の複数部分が前記スプロケット支持体と接触するように構成されており、
前記スプロケット本体の前記側部表面から、これに対応する、前記スプロケット支持体に接触する前記内周面の複数部分の１つに近接するまで横方向に延出する複数個の横方向突起が設けられている、
請求項３に記載の自転車用スプロケット。
【請求項１１】
前記横方向突起の個数が前記径方向内向きスプラインの個数と等しい、請求項１０に記載の自転車用スプロケット。
【請求項１２】
前記横方向突起の個数が前記径方向内向きスプラインの個数と異なる、請求項１０に記載の自転車用スプロケット。
【請求項１３】
前記横方向突起の個数が前記径方向内向きスプラインの個数より少ない、請求項１２に記載の自転車用スプロケット。
【請求項１４】
前記横方向突起の少なくとも１つが径方向内側表面および径方向外側表面を有し、
前記スプロケットの中心から前記横方向突起の少なくとも１つの径方向内側表面までの距離が、前記スプロケットの中心から前記径方向内向きスプラインの少なくとも１つの径方向内側表面までの距離に等しい、請求項１０に記載の自転車用スプロケット。
【請求項１５】
前記スプロケットの中心から前記径方向内向きスプラインそれぞれの径方向内側表面までの距離がすべて等しい、請求項１４に記載の自転車用スプロケット。
【請求項１６】
前記スプロケットの中心から前記横方向突起それぞれの径方向内側表面までの距離がすべて等しい、請求項１４に記載の自転車用スプロケット。
【請求項１７】
前記スプロケットの中心から前記径方向内向きスプラインそれぞれの径方向内側表面までの距離がすべて等しく、前記スプロケットの中心から前記横方向突起それぞれの径方向内側表面までの距離がすべて等しい、請求項１４に記載の自転車用スプロケット。
【請求項１８】
前記横方向突起の少なくとも１つが径方向内側表面および径方向外側表面を有し、
前記スプロケットの中心から前記横方向突起の少なくとも１つの径方向外側表面までの距離が、前記スプロケットの中心から前記径方向外向きスプラインの少なくとも１つの径方向外側表面までの距離より長い、
請求項１０に記載の自転車用スプロケット。
【請求項１９】
前記スプロケットの中心から前記径方向外向きスプラインそれぞれの径方向外側表面までの距離がすべて等しい、請求項１８に記載の自転車用スプロケット。
【請求項２０】
前記スプロケットの中心から前記横方向突起それぞれの径方向外側表面までの距離がすべて等しい、請求項１８に記載の自転車用スプロケット。
【請求項２１】
前記スプロケットの中心から前記径方向外向きスプラインそれぞれの径方向外側表面までの距離がすべて等しく、前記スプロケットの中心から前記横方向突起それぞれの径方向外側表面までの距離がすべて等しい、請求項１８に記載の自転車用スプロケット。
【請求項２２】
前記径方向内向きスプラインそれぞれの径方向内側表面が前記スプロケットの中心から第１の距離に位置し、前記径方向外向きスプラインそれぞれの径方向外側表面が前記スプロケットの中心から第２の距離に位置しており、
前記横方向突起それぞれが径方向内側表面および径方向外側表面を有し、前記横方向突起それぞれの前記径方向内側表面が前記スプロケットの中心から第３の距離に位置し、前記横方向突起それぞれの前記径方向外側表面が前記スプロケットの中心から第４の距離に位置し、
前記第１の距離が前記第３の距離に等しく、前記第２の距離が前記第４の距離に等しい、
請求項１０に記載の自転車用スプロケット。
【請求項２３】
前記横方向突起の個数が前記径方向内向きスプラインの個数と等しい、請求項２２に記載の自転車用スプロケット。
【請求項２４】
前記横方向突起の個数が前記径方向内向きスプラインの個数と異なる、請求項２２に記載の自転車用スプロケット。
【請求項２５】
前記横方向突起の個数が前記径方向内向きスプラインの個数より少ない、請求項２４に記載の自転車用スプロケット。
【請求項２６】
前記横方向突起それぞれの周方向幅が、これに対応する前記径方向内向きスプラインの１つの周方向幅と実質的に等しい、請求項２２に記載の自転車用スプロケット。
【請求項２７】
少なくとも１つの前記横方向突起の周方向幅が、別の前記横方向突起の周方向幅と異なる、請求項２６に記載の自転車用スプロケット。
【請求項２８】
前記スプロケット本体の前記側部表面に直交する方向視で、前記横方向突起それぞれが、これに対応する前記径方向内向きスプラインの少なくとも１つと少なくとも部分的に周方向に重なり合っている、請求項２２に記載の自転車用スプロケット。
【請求項２９】
前記スプロケット本体の前記側部表面に直交する方向視で、前記横方向突起それぞれが、これに対応する前記径方向内向きスプラインの少なくとも１つと完全に周方向に整合している、請求項２８に記載の自転車用スプロケット。
【請求項３０】
側部表面とスプロケット取付開口部を中央に構成している内周面とを有するスプロケット本体と、
前記スプロケット本体の前記側部表面から前記スプロケット取付開口部に近接するまで横方向に延出している少なくとも１つの横方向突起と、
を含む第１のスプロケットと、
側部表面とスプロケット取付開口部を中央に構成している内周面とを有するスプロケット本体を含む第２のスプロケットとを含み、
前記少なくとも１つの横方向突起が前記第２のスプロケットの前記内周面の内周側に延びている、
自転車用スプロケット装置。
【請求項３１】
前記第２のスプロケットが、前記第２のスプロケットの前記内周面から径方向外向きに延在する少なくとも１つの横方向突起収容凹部を含み、
前記少なくとも１つの横方向突起が、前記少なくとも１つの横方向突起収容凹部内に配置される、
請求項３０に記載の自転車用スプロケット装置。
【請求項３２】
前記第１のスプロケットの前記スプロケット本体の内周面が、複数の径方向内向きスプラインおよび複数の径方向外向きスプラインを構成し、
前記第２のスプロケットの前記スプロケット本体の内周面が、複数の径方向内向きスプラインおよび複数の径方向外向きスプラインを構成している、
請求項３０に記載の自転車用スプロケット装置。
【請求項３３】
前記第１のスプロケットの中心から前記第１のスプロケットの少なくとも１つの径方向内向きスプラインの径方向内側表面までの距離が、前記第２のスプロケットの中心から前記第２のスプロケットの少なくとも１つの径方向内向きスプラインの径方向内側表面までの距離と実質的に等しい、請求項３２に記載の自転車用スプロケット装置。
【請求項３４】
前記第１のスプロケットの中心から前記第１のスプロケットの少なくとも１つの径方向外向きスプラインの径方向外側表面までの距離が、前記第２のスプロケットの中心から前記第２のスプロケットの少なくとも１つの径方向外向きスプラインの径方向外側表面までの距離と異なる、請求項３２に記載の自転車用スプロケット装置。
【請求項３５】
前記第１のスプロケットの中心から前記第１のスプロケットの少なくとも１つの径方向外向きスプラインの径方向外側表面までの距離が、前記第２のスプロケットの中心から前記第２のスプロケットの少なくとも１つの径方向外向きスプラインの径方向外側表面までの距離より短い、請求項３４に記載の自転車用スプロケット装置。
【発明の詳細な説明】
【技術分野】
【０００１】
本発明は、自転車用スプロケット、特に、多段スプロケットアセンブリで使用するための横方向突起を有するさまざまな構造の自転車用スプロケットに関する。また、本発明は、２以上の自転車用スプロケット装置を有する自転車用スプロケット装置に関する。
【背景技術】
【０００２】
自転車の変速機は、通常、内装変速機または外装変速機で構成される。内装変速機の場合、通常、遊星ギア機構が、回転するハブ（自転車ホイールの一方など）内に組み入れられており、この遊星ギア機構に連結されたスプロケットをチェーンで駆動するようになっている。所望の変速段数を選択できるように遊星ギア変速機にクラッチ機構が連結されているため、乗り手は、シフトコントロール装置を操作してこのクラッチ機構を制御する。外装変速機の場合、通常、ハブ外部に位置する複数枚のスプロケット間でチェーンを掛けかえるようにディレーラが設けられているため、乗り手は、シフトコントロール装置を操作してこのディレーラを制御する。
【特許文献１】米国特許公報第５，７８２，７１２号
【特許文献２】米国特許公報第５，９３５，０３４号
【発明の開示】
【発明が解決しようとする課題】
【０００３】
自転車の用途によっては、ハブに取付けた遊星ギア機構に複数枚のスプロケットを連結し、ディレーラによってそのスプロケット間でチェーンをシフトさせることにより、内装変速機の構造と外装変速機の構造とが組合わされている。このように組合わせると、利用可能な変速段数が増加するためである。この組合わせの場合、乗り手は、シフトコントロール装置を操作することにより、クラッチ機構およびディレーラを制御する。いずれの場合も常に、有利な方法で１枚または複数枚のスプロケットを取付けることが望ましい。そして、このようなスプロケットを支持体に装着する場合、スプロケットと支持体との接触部の面圧を抑え、摩耗を抑制するためには、接触部の面積をより広く確保する必要がある。
【０００４】
本発明の課題は、スプロケットと支持体との接触部をより広く確保できるようにして、これらの摩耗を抑えることにある。
【課題を解決するための手段】
【０００５】
本発明は、自転車、特に、さまざまな構造の自転車用スプロケット装置に関する。一実施形態において、スプロケットは、車軸を中心に回転するスプロケット支持体に取付け可能とされている。このスプロケットは、側部表面とスプロケット取付開口部を構成している内周面とを有するスプロケット本体を含んでおり、その内周面の少なくとも一部が、スプロケット支持体に接触するようになっている。このスプロケット本体の側部表面から、スプロケット支持体に接触する内周面の少なくとも一部に近接するまで、少なくとも１つの横方向突起が延出している。
【０００６】
以下の記載により、上記のみならず、本発明の他の特徴も明らかになるであろう。そのすべての特徴が、個々にまたは上記特徴との組合わせにより、請求の範囲内に規定されている本発明およびその等価物の原理となり得るものである。
【発明の効果】
【０００７】
本発明では、スプロケットと支持体との接触部の面積を広く確保することができ、両者の摩耗を抑えることができる。また、両者の接触部の面圧が抑えられるので、支持体の材料をアルミニウム等の材料で構成することができ、軽量化が可能となる。
【発明を実施するための最良の形態】
【０００８】
図１は、自転車（図示せず）の後方フレーム部分などに取付け可能な自転車ハブ１０を示す部分断面図である。ハブ１０は、ハブロッド１８を含む車軸アセンブリと、ハブロッド１８の一方の端部をねじ係合する固定ナット２２と、ハブロッド１８のもう一方の端部を係合するカムナットアセンブリ２６とを含み、周知の通り、カムレバー３６を回転させて固定ナット２２とカムナットアセンブリ２６との間の軸方向距離を短縮することにより、ハブ１０を自転車に固着させるようになっている。ハブ軸３４が、ハブロッド１８を取り囲んでいる。このハブ軸３４は、リテーナ３８とハブ軸３４の端部４２とによりハブロッド１８の周囲に保持されている。ハブ軸３４上には、ハブシェル４６が軸受５０および５４により回転自在に支持されており、軸受５４はハブ軸３４上の傾斜面５８により軸方向に固定され、軸受５０は、ハブ軸３４上に位置する押え６２、スペーサ６６および固定ナット７０により軸方向に固定されている。スプロケット支持体７４は、周知の通り、ハブ軸３４に対して軸受７８および８２により回転自在に支持され、リテーナ３８により軸方向に支持されている。スプロケット支持体７４はまた、周知の通り、ハブシェル４６に対して１方向にのみ回転できるように、一方向ラチェットおよび爪機構８６を介してハブシェル４６に連結されている。
【０００９】
図２Ａは、スプロケット支持体７４の具体的な一実施形態を示す部分断面図であり、図２Ｂは、図２Ａの線分２Ｂ−２Ｂで切取った断面から見た図である。これらの図に示すように、スプロケット支持体７４は、雌ネジ部９２を含む第１の外周面部分９０と、第２の外周面部分９４と、フランジ部分９６とを含む。第１の外周面部分９０は、第１のスプロケット（例えば、図３Ａ〜図３Ｃに示すスプロケット２００）の内周部分を支持して、ハブロッド１８が規定する軸を中心に回転する。その軸の中心を、図２ＢにおいてＣとして示す。同様に、第２の外周面部分９４は、第２のスプロケット（例えば、図４Ａ〜図４Ｃに示すスプロケット３００）の内周部分を支持して、ハブロッド１８が規定する軸を中心に回転する。
【００１０】
第１の外周面部分９０は、複数の径方向内向きスプライン１１０と、複数の径方向外向きスプライン１１４とを構成している。径方向内向きスプライン１１０それぞれに、中心Ｃから第１の径方向内側距離ＲＩＤ１をあけて位置する径方向内側表面１１８が設けられ、径方向外向きスプライン１１４のそれぞれに、中心Ｃから第１の径方向外側距離ＲＯＤ１をあけて位置する径方向外側表面１２２が設けられている。同様に、第２の外周面部分９４は、複数の径方向内向きスプライン１２６と、複数の径方向外向きスプライン１３０とを構成している。径方向内向きスプライン１２６それぞれに、中心Ｃから第２の径方向内側距離ＲＩＤ２をあけて位置する径方向内側表面１３４が設けられ、径方向外向きスプライン１３０それぞれに、中心Ｃから第２の径方向外側距離ＲＯＤ２をあけて位置する径方向外側表面１３８が設けられている。図面から、距離ＲＩＤ１と距離ＲＩＤ２とが実質的に等距離であり、距離ＲＯＤ１が距離ＲＯＤ２より短いことは明白である。また、径方向外向きスプライン１１４に対する距離ＲＯＤ１はすべて同じであり、径方向外向きスプライン１３０に対する距離ＲＯＤ２はすべて同じである。無論、この距離関係は必須ではなく、他の実施形態では、ＲＩＤ２と実質的に等距離の距離ＲＩＤ１を幾つか設ける、距離ＲＩＤ２と実質的に同じ距離ＲＩＤ１を設けない、距離ＲＯＤ２より短い距離ＲＯＤ１を幾つか設ける、距離ＲＯＤ２より短い距離ＲＯＤ１を設けない、または、用途に応じてこれらの距離を組合わせることが可能である。
【００１１】
第１の外周面部分９０の径方向外向きスプライン１１４とこれに対応する第２の外周面部分９４の径方向外向きスプライン１３０との間に、移行面部分１４２が径方向に延在している。この実施形態において、各移行面部分１４２は、これに対応する径方向外向きスプライン１１４の径方向外側表面１２２および径方向外向きスプライン１３０の径方向外側表面１３８の双方に直交している。この実施形態では、第１の外周面部分９０の径方向内向きスプライン１１０と第２の外周面部分９４の径方向内向きスプライン１２６との間には径方向外向きに延在する表面がないことから、周方向に隣接している径方向外向きスプライン１１４および１３０からなる各対の移行面部分１４２と軸方向に同じ位置に、図２Ａで仮想移行面部分１４６が存在すると想定することができる。各仮想移行面部分１４６を、第１の外周面部分９０の径方向内向きスプライン１１０とこれに対応する第２の外周面部分９４の径方向内向きスプライン１２６との間の接合部と見なすことができる。無論、他の実施形態では、各仮想移行面部分１４６に、明らかに区別可能な軸方向幅を持たせることができる。この場合、第１の外周面部分９０の径方向内向きスプライン１１０とこれに対応する第２の外周面部分９４の径方向内向きスプライン１２６との間の接合部は明確になる。
【００１２】
この実施形態において、移行面部分１４２に直交する方向から見ると（すなわち、図２Ｂに示した図）、第１の外周面部分９０の径方向外向きスプライン１１４それぞれは少なくとも部分的に、これに対応する第２の外周面部分９４の径方向外向きスプライン１３０と重なり合っている。具体的に言えば、各径方向外向きスプライン１１４は、移行面部分１４２に直交する方向から見ると、周方向において、これと対応する径方向外向きスプライン１３０と完全に重なり合っている。無論、この位置関係は必須ではなく、重なり合っている場合にも、その程度は、用途に応じて変更可能である。また、この実施形態では、各径方向外向きスプライン１１４の周方向幅ＷＲＯＳ１は等しく、各径方向外向きスプライン１３０の周方向幅ＷＲＯＳ２も等しい。また、各径方向外向きスプライン１１４の周方向幅ＷＲＯＳ１は実質的に、径方向外向きスプライン１３０の周方向幅ＷＲＯＳ２と等しい。したがって、各径方向外向きスプライン１１４は、これに対応する径方向外向きスプライン１３０と周方向において完全に整合している。無論、この位置関係は必須ではなく、用途に応じて変更可能である。このＷＲＯＳ１とＷＲＯＳ２との間の関係により、径方向内向きスプライン１１０および１２６の周方向幅ＷＲＩＳ１とＷＲＩＳ２との間の関係が決まる。スプロケット支持体７４のこの構造を図２Ｂに示す。
【００１３】
この実施形態において、スプライン１１４ａなど、径方向外向きスプライン１１４の少なくとも１つが、別の径方向外向きスプライン１１４とは異なる周方向幅ＷＰＯＳ１を有し、スプライン１３０ａなど、径方向外向きスプライン１３０の少なくとも１つが、別の径方向外向きスプライン１３０と異なる周方向幅得ＷＰＯＳ２を有する。同様に、スプライン１１０ａなど、径方向内向きスプライン１１０の少なくとも１つが、別の径方向内向きスプライン１１０と異なる周方向幅ＷＰＩＳ１を有し、スプライン１２６ａなど、径方向外向きスプライン１２６の少なくとも１つが、別の径方向外向きスプライン１２６と異なる周方向幅ＷＰＩＳ２を有する。この構造により、スプロケット支持体７４に取付けられるスプロケットを、以下に記載する方法で、所定の回転位置に位置付けることが可能となる。
【００１４】
図３Ａは、１２枚の歯を有するスプロケット２００の具体的な一実施形態を示す背面図であり、図３Ｂはそのスプロケット２００の部分側断面図、図３Ｃはスプロケット２００の正面図である。この実施形態において、スプロケット２００は、スプロケット支持体７４が含む第１の外周面部分９０または第２の外周面部分９４のどちらか一方に取付け可能とされている。さらに具体的に言えば、スプロケット２００は、スプロケット支持体７４が含む第１の外周面部分９０に取付け可能とされている。スプロケット２００は、側部表面２０８および２１０と内周面２１２とを備えたスプロケット本体２０４を含む。この内周面２１２がスプロケット取付開口部２１６を構成しており、内周面２１２の少なくとも一部分が、スプロケット支持体７４と接触するようになっている。この実施形態の場合、内周面２１２全体がスプロケット支持体７４に接触する。スプロケット２００にはさらに、スプロケット本体２０４から径方向外向きに延出する複数のスプロケット歯２２０が設けられている。スプロケット本体２０４の内周部分は、その複数のスプロケット歯２２０と軸方向にずれて（図３Ｂでは左に）位置している。
【００１５】
少なくとも１つの横方向突起またはスプライン２２４が、スプロケット支持体７４に接触する内周面２１２の少なくとも一部に近接するまで、スプロケット本体２０４の側部表面２０８から横方向に延出している。この実施形態では、径方向内側表面２２８および径方向外側表面２３２をそれぞれ有する複数個の突起２２４が形成されており、隣接している各対の横方向突起間には横方向突起空間２３３が設けられている。スプロケット２００の内周面２１２はまた、径方向内側表面をそれぞれ有する少なくとも１つの径方向内向きスプライン２３６と、径方向外側表面２４２をそれぞれ有する少なくとも１つの径方向外向きスプライン２４０とを構成している。この実施形態では、それぞれ複数のスプライン２３６および２４０が設けられている。具体的には、９個の横方向突起２２４と、９個の径方向内向きスプライン２３６と、９個の径方向外向きスプライン２４０とが設けられており、各横方向突起２２４および径方向内向きスプライン２３６は、これに対応する径方向外向きスプライン２４０と交互に位置している。各横方向突起２２４は、側部表面２０８に直交する方向から見ると（すなわち、図３Ａに示す方向）、それに対応する径方向内向きスプライン２３６と少なくとも部分的に重なり合う、または整合する。この実施形態における各横方向突起２２４は、側部表面２０８に直交する方向から見ると、それに対応する径方向内向きスプライン２３６と完全に重なり合って整合し、各横方向突起２３３は、それに対応する径方向外向きスプライン２４０と完全に重なり合って整合しているが、他の実施形態では、幾つかの横方向突起２２４とそれに対応する径方向内向きスプライン２３６とを一部のみ重なり合わせる、または整合させる、あるいは他の横方向突起２２４およびそれに対応する径方向内向きスプライン２３６を全く重なり合わせない、または整合させないことも可能である。それだけでなく、横方向突起２２４の数を、径方向内向きスプライン２３６や径方向外向きスプライン２４０の数と一致させなくてもよい。こうした実施形態については、図７Ａ〜図７Ｃを参照しながら、以下で説明する。
【００１６】
概して、少なくとも１つの横方向突起２２４の周方向幅ＷＲＬＰ２００は、少なくとも１つの径方向内向きスプライン２３６の周方向幅ＷＲＩＳ２００と実質的に等しい。この実施形態において、各横方向突起２２４の周方向幅ＷＲＬＰ２００は、これに対応する径方向内向きスプライン２３６の周方向幅ＷＲＩＳ２００と実質的に等しい。さらに、横方向突起２２４すべての周方向幅ＷＲＬＰ２００は、横方向位置決め突起２２４ａの周方向幅ＷＰＬＰ２００を除いて等しく、横方向突起空間２３３の周方向幅ＷＲＰＳ２００は、横方向突起空間２３３ａの周方向幅ＷＲＰＳ２００を除いて等しい。径方向内向きスプライン２３６すべての周方向幅ＷＲＩＳ２００は、径方向内向き位置決めスプライン２３６ａの周方向幅ＷＰＩＳ２００を除いて等しく、径方向外向きスプライン２４０すべての周方向幅ＷＲＯＳ２００は、径方向外向き位置決めスプライン２４０ａの周方向幅ＷＰＯＳ２００を除いて等しい。
【００１７】
この実施形態において、スプロケット２００の中心Ｃから少なくとも１つの横方向突起２２４が含む径方向内側表面２２８までの距離ＲＩＰＤ２００は、スプロケット２００の中心Ｃから少なくとも１つの径方向内向きスプライン２３６が含む径方向内側表面２３８までの距離ＲＩＳＤ２００と実質的に等しい。さらに具体的に言えば、スプロケット２００の中心Ｃから各横方向突起２２４の径方向内側表面２２８までの距離ＲＩＰＤ２００はすべて実質的に等しく、スプロケット２００の中心Ｃから径方向内向きスプライン２３６の径方向内側表面２３８までの距離ＲＩＳＤ２００はすべて等しい。したがって、スプロケット２００の中心Ｃから横方向突起２２４の各径方向内側表面２２８までの距離ＲＩＰＤ２００はすべて、スプロケット２００の中心Ｃから各径方向内向きスプライン２３６の径方向内側表面２３８までの距離ＲＩＳＤ２００と実質的に等しい。
【００１８】
この実施形態において、スプロケット２００の中心Ｃから少なくとも１つの横方向突起２２４が含む径方向外側表面２３２までの距離ＲＯＰＤ２００は、スプロケット２００の中心Ｃから少なくとも１つの径方向外向きスプライン２４０が含む径方向外側表面２４２までの距離ＲＯＳＤ２００より長い。さらに具体的に言えば、スプロケット２００の中心Ｃから各横方向突起２２４が含む径方向外側表面２３２までの距離ＲＯＰＤ２００は、実質的にすべて等しく、スプロケット２００の中心Ｃから各径方向外向きスプライン２４０が含む径方向外側表面２４２までの距離ＲＯＳＤ２００は、実質的にすべて等しい。したがって、スプロケット２００の中心Ｃから横方向突起２２４が含む各径方向外側表面２３２までの距離ＲＯＰＤ２００はすべて、スプロケット２００の中心Ｃから各径方向外向きスプライン２４０が含む外側表面２４２までの距離ＲＯＳＤ２００より長い。
【００１９】
図４Ａは、１３枚の歯を有するスプロケット３００の具体的な一実施形態を示す正面図であり、図４Ｂは、そのスプロケット３００の部分断面図である。この実施形態において、スプロケット３００は、スプロケット支持体７４が含む第１の外周面部分９０または第２の外周面部分９４のどちらか一方に取付可能である。スプロケット３００は、側部表面３０８および３１０と内周面３１２とを有するスプロケット本体３０４を含む。この内周面３１２が、スプロケット取付開口部３１６を画成しており、内周面３１２の少なくとも一部分が、スプロケット支持体７４と接触する。この実施形態の場合、内周面３１２全体がスプロケット支持体７４に接触する。スプロケット３００にはさらに、スプロケット本体３０４から径方向外向きに延出する複数のスプロケット歯３２０が設けられている。スプロケット本体３０４の内周部分は、その複数のスプロケット歯３２０とは軸方向にずれて位置している。
【００２０】
スプロケット３００の内周面３１２はまた、径方向内側表面３３８を有する少なくとも１つの径方向内向きスプライン３３６と、径方向外側表面３４２を有する少なくとも１つの径方向外向きスプライン３４０とを構成している。この実施形態では、それぞれ複数のスプライン３３６および３４０が設けられている。具体的には、９個の径方向内向きスプライン３３６と、９個の径方向外向きスプライン３４０とが設けられており、径方向内向きスプライン３３６はそれぞれ、これに対応する径方向外向きスプライン３４０と交互に位置している。
【００２１】
この実施形態において、各径方向内向きスプライン３３６の周方向幅ＷＲＩＳ３００は、径方向内向き位置決めスプライン３３６ａの周方向幅ＷＰＩＳ３００を除いてすべて等しく、各径方向外向きスプライン３４０の周方向幅ＷＲＯＳ３００は、径方向外向き位置決めスプライン３４０ａの周方向幅ＷＰＯＳ３００を除いてすべて等しい。
【００２２】
この実施形態において、スプロケット３００の中心Ｃから各径方向内向きスプライン３３６が含む径方向内側表面３３８までの距離ＲＩＳＤ３００はすべて等しく、スプロケット３００の中心Ｃから各径方向外向きスプライン３４０が含む径方向外側表面３４２までの距離ＲＯＳＤ３００はすべて等しい。さらに、スプロケット２００の距離ＲＩＳＤ２００およびスプロケット３００の距離ＲＩＳＤ３００も等しい。スプロケット支持体の距離ＲＩＤ１およびＲＩＤ２も等しいことから、距離ＲＩＤ１、ＲＩＤ２、ＲＩＳＤ２００およびＲＩＳＤ３００が等しいとすれば、スプロケットが含む第１の外周面部分９０および第２の外周面部分９４に設けられた径方向内向きスプライン１１０および１２６はそれぞれ、両方のスプロケット２００および３００の径方向内向きスプライン２３６および３３６をそれぞれ収容することができる。しかし、以下に記載するように、この実施形態におけるスプロケット２００を、スプロケット支持体７４が含む第２の外周面部分９４に取付けることはできない。
【００２３】
上述したように、スプロケット２００の中心Ｃから各径方向外向きスプライン２４０が含む径方向外側表面２４２までの距離距離ＲＯＳＤ２００はすべて等しく、スプロケット３００の中心Ｃから各径方向外向きスプライン３４０が含む径方向外側表面３４２までの距離ＲＯＳＤ３００はすべて等しい。このことから、スプロケット２００の中心Ｃから各径方向外向きスプライン２４０が含む径方向外側表面２４２までの距離距離ＲＯＳＤ２００が、スプロケット支持体７４の中心Ｃから各径方向外向きスプライン１１４が含む径方向外側表面１２２までの距離ＲＯＤ１と実質的に等しく、スプロケット３００の中心Ｃから各径方向外向きスプライン３４０が含む径方向外側表面３４２までの距離ＲＯＳＤ３００が、スプロケット支持体７４の中心Ｃから各径方向外向きスプライン１３０が含む径方向外側表面１３８までの距離ＲＯＤ２と実質的に等しいことが想定される。しかし、スプロケット２００の距離ＲＯＳＤ２００は、スプロケット３００の距離ＲＯＳＤ３００より短く、スプロケット支持体７４の距離ＲＯＤ１は、スプロケット支持体７４の距離ＲＯＤ２より短い。この構造により、スプロケット３００を、スプロケット支持体７４が含む第１の外周面部分９０または第２の外周面部分９４の一方に取付けることができるため、複数枚のスプロケットの入れ替えが可能となる、かつ／または、スプロケットの位置決めにおける融通性を高められるようになっている。これに対して、スプロケット２００の距離ＲＯＳＤ２００はスプロケット支持体７４の第２の外周面部分９４の距離距離ＲＯＤ２より短いことから、スプロケット２００をスプロケット支持体７４の第２の外周面部分９４に取付けることは通常できない。無論、他の実施形態において、これとは別の構造にすることも可能である。
【００２４】
周知のスプロケット支持体は、ＲＩＤ１＝ＲＩＤ２の距離関係でスチールや軽量合金から製造されている。スプロケット支持体をスチールで製造すると、ＲＯＤ１−ＲＩＤ１のギャップはかなり小さくなるが、スチールの強度が高いため、スプロケット支持体のスプラインとスプロケットのスプラインとの間を適切に噛合させることができる。しかし、スプロケット支持体を軽量合金で製造すると、そのギャップが小さくなりすぎるため、スプロケットが、スプロケット支持体のスプラインを剪断変形させることが多くなる。この課題を克服するため、ＲＯＤ１−ＲＩＤ１のギャップをより大きくし、スプロケット支持体のその新たなスプライン距離と一致する新たなスプロケットが設計されている。しかし、ＲＩＤ１値を既存のスプロケット支持体より小さくして製造すると、新たなスプロケットを既存のスプロケット支持体と併用することができなくなり、スプロケットの入れ替えが不可能となる。ＲＩＤ１値を既存のスプロケット支持体より大きくして製造すると、これに伴って、小径スプロケットのスプラインの径方向距離を伸ばさなくてはならないため、その強度が低下してしまう。そこで、本明細書に開示しているスプロケット支持体７４の場合、第１の外周面部分９０は、周知のスプロケット支持体と同じ距離で製造するが、小径スプロケットスプラインの半径距離を延長するのではなく、以下に記載するように横方向突起２２４を用いてスプロケットを強化する。
【００２５】
図５は、スプロケット支持体７４に取付けられた複数枚のスプロケットの一実施形態を示す部分断面図である。この実施形態において、さまざまな数の歯を有するスプロケット４０４ａおよび４０４ｂは、スプロケットアダプタ４２０ａを介して、スプロケット支持体７４の第２の外周面部分９４に取付けられており、さまざまな数の歯を有するスプロケット４０４ｃおよび４０４ｄは、スプロケットアダプタ４２０ｂを介して、スプロケット支持体７４の第２の外周面部分９４に取付けられている。スプロケットアダプタ４２０ａおよび４２０ｂには、スプロケット３００の径方向内向きスプライン３３６、３３６ａおよび径方向外向きスプライン３４０、３４０ａと同様に、径方向内向きスプラインおよび径方向外向きスプライン（位置決めスプラインも含まれるが、図示せず）が設けられている。さまざまな数の歯を有するスプロケット４０４ｅ、４０４ｆおよび４０４ｇは、スプロケット支持体７４の第２の外周面部分９４に直接取付けられている。スプロケット４０４ｅ、４０４ｆおよび４０４ｇの内周面には、スプロケット３００の径方向内向きスプライン３３６、３３６ａおよび径方向外向きスプライン３４０、３４０ａと同様に、径方向内向きスプラインおよび径方向外向きスプライン（位置決めスプラインも含まれるが、図示せず）が設けられている。スプロケット４０４ｅと４０４ｆとは、スペーサ４２４ａにより互いに軸方向に間隔をおいて位置しており、スプロケット４０４ｆと４０４ｇとは、スペーサ４２４ｂにより互いに軸方向に間隔をおいて位置している。
【００２６】
この実施形態において、スプロケット３００は、スプロケット支持体７４の第２の軸方向外周面部分９４に取付けられており、スプロケット３００のスプロケット本体３０４の内周部分は、スプロケット４０４ｇの右側側部表面に当接して、スペーサとして機能している。この構造により、スプロケット３００の径方向内向きスプライン３３６および３３６ａの軸方向厚さをより厚くすることができる。スプロケット３００の径方向内向きスプライン３３６は、スプロケット支持体７４が含む第２の外周面部分９４の径方向内向きスプライン１２６と完全に係合している（すなわち、径方向内向きスプライン３３６の径方向内側表面３３８が、スプロケット支持体７４の径方向内向きスプラインが含む径方向内側表面１３４に、ほぼまたは実際に接触している）。さらに、スプロケット３００の径方向内向き位置決めスプライン３３６ａは、スプロケット支持体７４の径方向内向き位置決めスプライン１２６ａと完全に係合している。同様に、スプロケット３００の径方向外向きスプライン３４０は、スプロケット支持体７４の第２の外周面部分９４に設けられた径方向外向きスプライン１３０と完全に係合し、スプロケット３００の径方向外向きスプライン３４０ａは、スプロケット支持体７４の径方向外向きスプライン１３０ａと完全に係合している。
【００２７】
図５に示すように、スプロケット２００は、スプロケット支持体７４の第１の径方向外周面９０上に取付けられる。この構成では、スプロケット２００の径方向内向きスプライン２３６、２３６ａが、スプロケット支持体７４の第１の外周面部分９０に設けられた径方向内向きスプライン１１０、１１０ａとそれぞれ完全に係合し、スプロケット２００の径方向外向きスプライン２４０、２４０ａが、スプロケット支持体７４の第１の外周面部分９０に設けられた径方向外向きスプライン１１４、１１４ａとそれぞれ完全に係合している。スプロケット本体２０４の内周部分は移行面１４２に当接している。スプロケット３００の径方向内向きスプライン３３６が複数のスプロケット歯３２０と横方向にずれて位置しているため、スプロケット２００に設けられた横方向突起２２４の径方向外側表面２３２は、スプロケット３００の内周面３１２の下方に延在して、これと接触することができる。これにより、スプロケット３００をより確実に支持し、安定させることができる。
【００２８】
スプロケット２００で斜線を引いた部分は、スプロケット支持体７４の径方向内向きスプライン１１０とこれに対応するスプロケット２００の径方向内向きスプライン２３６との係合部分を示している。斜線部分の右側の白抜き部分は、スプロケット支持体７４の径方向外向きスプライン１１４とこれに対応するスプロケット２００の径方向外向きスプライン２４０とが係合していることを示している。スプロケット２００に異なる周方向幅２２４ａ、２３６ａおよび２４０ａのスプラインが設けられ、スプロケット支持体７４に異なる周方向幅１１０ａおよび１１４ａのスプラインが設けられているため、スプロケット２００を、所定の回転方向位置でスプロケット支持体７４の第１の外周面部分９０に取付けることができる。これは、種々のスプロケットにチェーンシフト構造が設けられている場合など、種々のスプロケットを相互に所定の回転位置でスプロケット支持体７４に取付けなければならない場合に大変有用である。もう１つのスプロケット４０４ｈ（１１枚の歯を有するスプロケットなど）は、スプロケット支持体７４のネジ部９２に螺合する環状ナット（図示せず）などの従来の手段により、スプロケット支持体７４が含む横方向に最も外側の端部に装着されている。
【００２９】
図６は、複数枚のスプロケットをスプロケット支持体７４に取付けた、別の実施形態を示す部分断面図である。この実施形態は、スプロケット４０４ａ〜４０４ｇをスプロケット支持体７４の第２の外周面部分９４に取付けた、図５に示した実施形態とよく似ているが、この実施形態では、スプロケット支持体７４の第２の外周面部分９４にスプロケット４０４ｉが追加されて取付けられており、スプロケット２００もスプロケット３００も、スプロケット支持体７４の第１の外周面部分９０に取付けられている。これは、上述したように、スプロケット支持体７４における第１の外周面部分９０までの距離ＲＩＳ１およびＲＩＤ２と、スプロケット２００における距離ＲＩＳＤ２００と、スプロケット３００における距離ＲＩＳＤ３００とが等しく、これによって、スプロケット支持体７４の第１の外周面部分９０に設けられた径方向内向きスプライン１１０が、スプロケット２００の径方向内向きスプライン２３６およびスプロケット３００の３３６をそれぞれ完全に収容できるため可能となったことである。スプロケット３００の距離ＲＯＳＤ３００は、スプロケット２００の距離ＲＯＳＤ２００より長く、スプロケット支持体７４の第２の外周面９４における距離ＲＯＤ２は、距離ＲＯＤ１より長い。したがって、スプロケット支持体７４の第１の外周面部分９０に設けられた径方向外向きスプライン１１４および１１４ａは、スプロケット支持体７４の径方向外向きスプライン１１４および１１４ａとスプロケット３００の径方向外向きスプライン３４０および３４０ａとの間にわずかに径方向空間を設けた状態で、スプロケット３００の径方向外向きスプライン３４０および３４０ａを収容することができる。径方向内向きスプライン３４０を設けて軸方向の厚さを増加させることで、この位置におけるスプロケット３００を補強することになる。スプロケット２００を、図５に示した実施形態におけるスプロケット４０４ｈと同様に、スプロケット支持体７４の横方向に最も外側の端部に取付けることも可能である。すでに取付けた複数枚のスプロケットを軸方向に固定するように、もう１つのスプロケットまたは環状ナット（図示せず）をスプロケット支持体７４のネジ部９２に螺合してもよい。
【００３０】
図７Ａは、１２枚の歯を有するスプロケット５００の別の実施形態を示す背面図である。図７Ｂは、そのスプロケット５００の部分断面図であり、図７Ｃは、スプロケット５００の正面図である。スプロケット５００は、図３Ａ〜図３Ｃに示したスプロケット２００と同じ構造であるが、３つの横方向突起５２４が、同じ間隔をあけて設けられている。
【００３１】
図８は、１３枚の歯を有するスプロケット６００の別の実施形態を示す正面図である。スプロケット６００は、図７Ａ〜図７Ｃに示したスプロケット５００との併用が可能であり、スプロケット支持体７４の第１の外周面部分９０に取付け可能とされている。この実施形態では、スプロケット６００の内周面６１４から径方向外向きに延在する、３つの横方向突起収容凹部６１０が形成されている。さらに具体的に言えば、横方向突起収容凹部６１０は、径方向内向きスプライン６２２と同様の径方向内向きスプラインが通常配置されるはずの位置で、径方向外向きスプライン６１８から径方向外向きに延在している。各横方向突起収容凹部６１０は、図７Ａ〜図７Ｃに示したスプロケット５００の横方向突起５２４などの、これに対応する横方向突起と噛み合う。この噛合領域でスプロケット５００の横方向突起５２４がスプロケット６００の内周面６１４を支持するため、スプロケット６００の応力に対する耐性を高めることができる。この実施形態では、距離ＲＩＳＤ６００およびＲＯＳＤ６００はそれぞれ、スプロケット２００のＲＩＳＤ２００およびＲＯＳＤ２００と等しい。
【００３２】
図９は、１３枚の歯を有するスプロケット７００の別の実施形態を示す正面図である。スプロケット７００は、図７Ａ〜図７Ｃに示したスプロケット５００との併用が可能であるが、この実施形態のスプロケット７００は、スプロケット支持体７４の第１の外周面部分９０またはスプロケット支持体７４の第２の外周面部分９４に取付け可能とされている。したがって、スプロケット７００の中心Ｃから、スプロケット７００の径方向内向きスプライン７３０および径方向外向きスプライン７３４までの距離ＲＩＳＤ７００およびＲＯＳＤ７００はそれぞれ、これに対応するスプロケット３００のスプラインの距離ＲＩＳＤ３００およびＲＯＳＤ３００と等しくなっている。しかし、径方向外向きスプライン７３４は、内周面７１４の位置７３４Ｘ、７３４Ｙおよび７３４Ｚにて周方向に合体しており、これらの位置に径方向内向きスプライン７３０は設けられていない。スプロケット７００をスプロケット支持体７４の第２の外周面９４に取付けると、７３４Ｘ、７３４Ｙおよび７３４Ｚの位置にこれに対応する空間が形成される。この位置が、スプロケット支持体７４の対応位置にある径方向内向きスプライン１２６と整合する。一方、スプロケット７００をスプロケット支持体７４の第１の外周面９０に取付ける場合、スプロケット５００の横方向突起５１０が、この位置で内周面７３４に嵌合する。
【００３３】
図１０Ａは、１２枚の歯を有するスプロケット８００の別の実施形態を示す背面図である。図１０Ｂは、そのスプロケット８００の部分断面図であり、図１０Ｃは、スプロケット８００の正面図である。図１１は、スプロケット８００との併用が可能な１３枚の歯を有するスプロケット９００の背面図である。スプロケット８００は、図７Ａ〜図７Ｃに示したスプロケット５００と同じ構造であるが、同じ間隔をあけて位置する３つの横方向突起のうち、横方向突起８２４ａの幅ＷＰＬＰ８００が、残り２つの横方向突起８２４ｂおよび８２４ｃの少なくとも一方の幅ＷＲＬＰ８００と異なっている。この実施形態では、２つの横方向突起８２４ｂおよび８２４ｃの幅ＷＲＬＰ８００はどちらも同じであり、この幅と、横方向突起８２４ａの幅ＷＰＬＰ８００とが異なっている。ただし、この場合にも、径方向内向き位置決めスプライン８３６ａおよび径方向外向き位置決めスプライン８４０ａは保持されていることに留意されたい。
【００３４】
スプロケット８００は、図１１に示したスプロケット９００と併用可能である。スプロケット９００は、図８に示したスプロケット６００と同じ構造であるが、同じ間隔をあけて位置する３つの横方向突起収容凹部９１０ａ、９１０ｂおよび９１０ｃの少なくとも１つの幅ＷＰＲＲ９００が、他の横方向突起収容凹部９１０ａ、９１０ｂおよび９１０ｃの少なくとも１つの幅ＷＲＲＲ９００と異なっている。この実施形態では、横方向突起収容凹部９１０ｂおよび９１０ｃの幅が同じであり、この幅と、横方向突起収容凹部９１０ａの幅とが異なっている。スプロケット８００の距離ＲＩＳＤ８００およびＲＯＳＤ８００は、スプロケット６００の距離ＲＩＳＤ６００およびＲＯＳＤ６００とそれぞれ等しいため、スプロケット８００は、スプロケット支持体７４の第１の外周面部分９０に取付け可能とされている。スプロケット８００の横方向突起８２４ａは、スプロケット９００の横方向突起収容凹部９１０ａと噛合でき、スプロケット８００の横方向突起８２４ｂおよび８２４ｃは、スプロケット９００の横方向突起収容凹部９１０ｂおよび９１０ｃと噛合できるようになっている。この構造により、スプロケット８００とスプロケット９００とを、相互に所定位置にてうまく連結させることができる。この場合も、スプロケット５００および６００に対して、径方向内向き位置決めスプライン８３６ａ、８４０ａおよび径方向外向き位置決めスプライン９３６ａおよび９４０ａが保持されている。
【００３５】
以上、本発明の特徴を含むさまざまな実施形態について説明してきたが、本発明の趣旨および範囲を逸脱することなく、他の修正を加えることが可能である。例えば、本発明の特徴は、上述した１２枚の歯および１３枚の歯を有するスプロケットに限定されるものではない。上記には、複数の横方向突起、径方向内向きスプラインおよび径方向外向きスプラインを開示したが、実施形態によって、そのいずれか１つのみを設けることが望ましい場合もある。上記には複数の別個の横方向突起を開示したが、実施形態によって、例えば、径方向幅を同一にしない、または１つの横方向突起に他の特徴を具備することが望ましい構造も考えられる。
【００３６】
上述したさまざまな構成要素のサイズ、形状、位置または方向は、所望に応じて変更可能である。相互に直接接続または接触させたものとして図示した構成要素間に、中間構造体を設けることも可能である。１つの要素の機能を２つで行うこと、またこの反対も可能である。一実施形態の構造および機能を、他の実施形態に採り入れることも可能である。具体的な一実施形態に含めた利点すべてを一度に実施しなくてもよい。従来技術に比べて独自性のある各特徴は、それ単独であれ、他の特徴との組合わせであれ、その特徴（１つまたは複数）により具体化された構造的および／または機能的概念を含めて、本出願人による発明をさらに説明する別個の記載として見なされるべきである。したがって、本発明の範囲は、本明細書内に開示された具体的構造、または特定の構造や特徴に関する明白な当初の着目点に限定されるものではない。
【図面の簡単な説明】
【００３７】
【図１】スプロケット支持体の具体的な一実施形態を用いた自転車ハブを示す部分断面図である。
【図２Ａ】スプロケットの具体的な一実施形態を示す部分断面図である。
【図２Ｂ】図２Ａの線分２Ｂ−２Ｂで切取った断面から見た図である。
【図３Ａ】１２枚の歯を有するスプロケットの具体的な一実施形態を示す背面図である。
【図３Ｂ】図３Ａに示したスプロケットの部分側断面図である。
【図３Ｃ】図３Ａに示したスプロケットの正面図である。
【図４Ａ】１３枚の歯を有するスプロケットの具体的な一実施形態を示す正面図である。
【図４Ｂ】図４Ａに示したスプロケットの部分側断面図である。
【図５】図２Ａおよび図２Ｂに示したスプロケット支持体に取付けられた複数個のスプロケットの一実施形態を示す部分断面図である。
【図６】図２Ａおよび図２Ｂに示したスプロケット支持体に取付けられた複数個のスプロケットに対する別の実施形態を示す部分断面図である。
【図７Ａ】１２枚の歯を有するスプロケットの別の実施形態を示す背面図である。
【図７Ｂ】図７Ａに示したスプロケットの部分側断面図である。
【図７Ｃ】図７Ａに示したスプロケットの正面図である。
【図８】１３枚の歯を有するスプロケットの別の実施形態を示す正面図である。
【図９】１３枚の歯を有するスプロケットの別の実施形態を示す正面図である。
【図１０Ａ】１２枚の歯を有するスプロケットの別の実施形態を示す背面図である。
【図１０Ｂ】図１０Ａに示したスプロケットの部分側断面図である。
【図１０Ｃ】図１０Ａに示したスプロケットの正面図である。
【図１１】１３枚の歯を有するスプロケットの別の実施形態を示す図である。
【符号の説明】
【００３８】
１０  ハブ
１８  ハブロッド
２２  固定ナット
３０  カムレバー
３４  ハブ軸
３８，６２  リテーナ
４２  ハブ軸端部
４６  ハブシェル
５０，５４，７８  軸受
６６  スペーサ
７４  スプロケット支持体
８６  一方向ラチェットおよび爪機構
９０  第１の外周面部分
９２  雌ネジ部
９４  第２の外周面部分
１１０，１２６，２３６，３３６，６２２，７３０  径方向内向きスプライン
１１４，１３０，２４０，３４０，６１８，７３４  径方向外向きスプライン
１１８，１３４，２２８，２３８  径方向内側表面
１２２，１３８，２３２  径方向外側表面
１４２  移行面部分
１４６  仮想移行面部分
２００，５００，８００  １２枚歯スプロケット
２０４，３０４  スプロケット本体
２０８，２１０，３０８，３１０  側部表面
２１２，３１２  内周面
２１６，３１６  スプロケット取付開口部
２２０，３２０  スプロケット歯
２２４，５２４  横方向突起またはスプライン
２２４ａ  横方向位置決め突起
２３３，２３３ａ  横方向突起空間
２３６ａ，３３６ａ，８３６ａ，９３６ａ  径方向内向き位置決めスプライン
２４０ａ，３４０ａ，８４０ａ，９４０ａ  径方向外向き位置決めスプライン
３００，６００，７００，９００  １３枚歯スプロケット
４０４ａ〜４０４ｉ  スプロケット
４２０ａ，４２０ｂ  スプロケットアダプタ
４２４ａ，４２４ｂ  スペーサ
６１０，９１０ａ〜９１０ｃ  横方向突起収容凹部
６１４  内周面
８２４ａ，８２４ｂ，８２４ｃ  横方向突起
【図１】
2004224334.tif 000003
【図２Ａ】
2004224334.tif 000004
【図２Ｂ】
2004224334.tif 000005
【図３Ａ】
2004224334.tif 000006
【図３Ｂ】
2004224334.tif 000007
【図３Ｃ】
2004224334.tif 000008
【図４Ａ】
2004224334.tif 000009
【図４Ｂ】
2004224334.tif 000010
【図５】
2004224334.tif 000011
【図６】
2004224334.tif 000012
【図７Ａ】
2004224334.tif 000013
【図７Ｂ】
2004224334.tif 000014
【図７Ｃ】
2004224334.tif 000015
【図８】
2004224334.tif 000016
【図９】
2004224334.tif 000017
【図１０Ａ】
2004224334.tif 000018
【図１０Ｂ】
2004224334.tif 000019
【図１０Ｃ】
2004224334.tif 000020
【図１１】
2004224334.tif 000021